(57)【要約】      （修正有）【課題】外部振動によるスイッチ制御レバーのガタつきを防止することができ、そのガタつきに起因したスイッチノブの振れを抑制してスイッチ内部の接点部分の摩耗および誤動作を防止することができるディスク装置を得る。【解決手段】回路基板２に実装されたメカ制御駆動系のスイッチ３と、このスイッチ３のノブ３ａをＯＮ・ＯＦＦ制御する方向に回動可能に配置されたスイッチ制御レバー５とを備えるディスク装置において、スイッチ制御レバー５に、スイッチ制御レバー５によるスイッチ３のノブ３ａを押圧位置で回路基板２上に乗り上げて回路基板２上に弾性係合するバイアス付与部５２ｃを設ける。【選択図】図６
2006244642.tif 000002
【特許請求の範囲】
【請求項１】
回路基板に実装されたメカ制御駆動系のスイッチと、このスイッチのノブをＯＮ・ＯＦＦ制御する方向に回動可能に配置されたスイッチ制御レバーとを備えるディスク装置において、前記スイッチ制御レバーに、当該スイッチ制御レバーによる前記スイッチのノブ押圧位置で前記回路基板上に乗り上げて当該回路基板上に摩擦係合するバイアス付与部を設けたことを特徴とするディスク装置。
【請求項２】
バイアス付与部は、スイッチ制御レバーに切り込み形成された弾性変形可能な係合片部の下面に突設されて回路基板上に摩擦係合するバイアス付与突起を有していることを特徴とする請求項１記載のディスク装置。
【請求項３】
バイアス付与部は、スイッチ制御レバーがモード切替機構に連動してスイッチのＯＦＦ方向へ強制回動することで回路基板上から外れるようになっていることを特徴とする請求項１または請求項２記載のディスク装置。
【請求項４】
スイッチ制御レバーとモード切替機構との連動手段として、前記スイッチ制御レバーにはカム溝が設けられ、かつ前記モード切替機構には前記カム溝にスライド自在に係合するカム係合突起が設けられ、前記カム溝は、前記カム係合突起によって前記スイッチ制御レバーをスイッチのＯＮ・ＯＦＦ方向に強制回動させる溝形状となっていることを特徴とする請求項３記載のディスク装置。
【発明の詳細な説明】
【技術分野】
【０００１】
この発明は、例えばカーオーディオにおけるメカ制御駆動系スイッチの振動対策を施したディスク装置に関するものである。
【背景技術】
【０００２】
従来のディスク装置において、回路基板上に実装されてディスク駆動系のモータを停止・起動させるためのスイッチと、このスイッチのノブをＯＮ・ＯＦＦする方向に回動可能に配置されたスイッチ制御レバーと、このスイッチ制御レバーを連動させるディスク検知レバーとを備え、前記ディスク検知レバーのディスク検知動作時に前記スイッチ制御レバーを関連応動させて前記スイッチのノブをＯＮ動作させるように構成したものは既に知られている（例えば、特許文献１参照）。なお、前記スイッチ制御レバーについて、特許文献１では円弧状のカム面を有する駆動体と称しており、そのカム面によって前記スイッチのノブをＯＮ状態に保持できるようにしている。
【０００３】
【特許文献１】特開２０００−６７４９９号公報（［００１６］及び［００１７］、図４及び図５）
【発明の開示】
【発明が解決しようとする課題】
【０００４】
従来のディスク装置は以上のように構成されているので、ディスク再生時にはスイッチ制御レバーによってスイッチのノブをＯＮ状態に保持することはできるが、その保持状態では前記スイッチ制御レバーのカム面が前記スイッチのノブに当接しているにすぎず、このため、カーオーディオ等のように振動環境下に置かれることが多いディスク装置では、前記スイッチのノブをＯＮ状態に保持しているスイッチ制御レバーには外部振動によるガタが生じ、そのガタに起因して前記スイッチのノブに振れが発生することにより、当該スイッチ内部の接点部分が摩耗して接触不良が生じるなど誤検知を引き起こすという課題があった。
【０００５】
この発明は上記のような課題を解決するためになされたもので、外部振動によるスイッチ制御レバーのガタつきを防止することができ、そのガタつきに起因したスイッチのノブの振れを抑制してスイッチ内部の接点部分の摩耗および誤動作を防止することができるディスク装置を得ることを目的とする。
【課題を解決するための手段】
【０００６】
この発明に係るディスク装置は、回路基板に実装されたメカ制御駆動系のスイッチと、このスイッチのノブをＯＮ・ＯＦＦ制御する方向に回動可能に配置されたスイッチ制御レバーとを備えるディスク装置において、前記スイッチ制御レバーに、当該スイッチ制御レバーによる前記スイッチのノブ押圧位置で前記回路基板上に乗り上げて当該回路基板上に弾性係合するバイアス付与部を設けたものである。
【発明の効果】
【０００７】
この発明によれば、スイッチ制御レバーによるスイッチのノブ押圧時に前記スイッチ制御レバーのバイアス付与部が回路基板上に乗り上げて当該回路基板に弾性係合するように構成したので、前記スイッチ制御レバーがスイッチのノブ押圧位置で外部振動によりガタつくようなことがなくなり、そのガタつきに起因したスイッチノブの振れを抑制することができ、このため、外部振動によって前記スイッチ内部の接点部分が摩耗したり誤動作するのを防止できるという効果がある。
【発明を実施するための最良の形態】
【０００８】
実施の形態１．
図１はこの発明の実施の形態１によるディスク装置の一部機構を除く全体斜視図、図２は図１中のスイッチ制御レバーを示す拡大斜視図、図３は図１中のメカ駆動系スイッチのＯＦＦ状態を示す要部平面図、図４は図３中のメカ駆動系スイッチのＯＮ開始状態を示す要部平面図、図５は図４のディスク再生時状態を示す要部平面図、図６（Ａ）は図３の状態におけるスイッチ制御レバーの要部を回路基板およびメカ駆動系スイッチとの関連で示す断面図、図６（Ｂ）は図５の状態におけるスイッチ制御レバーの要部を回路基板およびメカ駆動系スイッチとの関連で示す断面図である。
図１に示すディスク装置は、前面にディスク挿排口１ａを有する筐体１と、回路基板２上に実装されて前記筐体１底部のベース１ｂ上に搭載されたメカ駆動系のスイッチ３と、
このスイッチ３をＯＮ・ＯＦＦ制御すべく前記筐体１に支軸４を介して回動可能に支持されたスイッチ制御レバー５とを備えている。
【０００９】
前記スイッチ制御レバー５は、前記筐体１のディスク挿排口１ａから挿入されたディスク（図示せず）を検知するディスク検知レバーを兼用するもので、その詳細は図１および図２に示すように、前記支軸４が挿通される筒状の軸挿通部５０と、この軸挿通部５０の上部外周から一方向に延びる垂直プレート状のディスク検知側レバー部５１と、前記軸挿通部５０の下端部外周から他方向に延びる水平プレート状のスイッチ押圧側レバー部５２とを一体に有する樹脂製のレバー構成となっている。そして、前記ディスク検知側レバー部５１の先端にはディスク当接片部５１ａが一体形成されている。また、前記スイッチ押圧側レバー部５２において、前記スイッチ３に最も近接する先端部位には、当該スイッチ３のノブ３ａを押圧回動させる第１のスイッチ当接辺部５２ａと、前記ノブ３ａを押圧回動位置で保持する第２のスイッチ当接辺部５２ｂとが平面ほぼＬ字状に連続形成されている。
【００１０】
さらに、前記スイッチ押圧側レバー部５２には、前記ノブ３ａの押圧回動位置で前記回路基板２上に乗り上げるバイアス付与部５２ｃが設けられている。このバイアス付与部５２ｃは、前記スイッチ押圧側レバー部５２に平面ほぼコ字状に切り込み形成された弾性変形可能な係合片部５２ｃからなり、この係合片部５２ｃの下面にバイアス付与突起５２ｄ（図６参照）を一体突設した構成となっている。そのバイアス付与突起５２ｄは、前記ノブ３ａの押圧回動位置で前記回路基板２上に乗り上げて摩擦係合し、前記ノブ３ａの押圧解除位置では前記回路基板２上から離脱するようになっている。
【００１１】
以上のように形成されたスイッチ制御レバー５は、そのスイッチ押圧側レバー部５２と筐体１の底部ベース１ｂとの間に張架されたスプリング６によってスイッチ３のＯＦＦ方向（ノブ３ａから離間する方向）に付勢されており、前記スイッチ３のＯＦＦ位置では前記ディスク検知側レバー部５１がディスク検知位置に保持されるようになっている。すなわち、前記スイッチ制御レバー５は、そのスイッチ押圧側レバー部５２がスイッチ３のノブ３ａから離脱することによるスイッチ３のＯＦＦ位置では、スイッチ押圧側レバー部５２のバイアス付与突起５２ｄが回路基板２上から離脱し、かつディスク検知側レバー部５１がディスク検知位置に回動変位した状態に前記スプリング６の付勢力で保持されるようになっている。また、スイッチ３の押切位置（図５参照、スイッチ３はＯＮ状態）にあるときは前記スイッチ押圧側レバー部５２の前記バイアス付与突起５２ｄが回路基板上に乗り上げ係合し、かつ前記ディスク検知側レバー部５１がディスク検知位置から退避するようになっている。
【００１２】
このようなスイッチ制御レバー５は、前記筐体１の側壁内側に配置されたモード切替機構系統のスライダ７に連動してスイッチ３のＯＮ・ＯＦＦ方向に回動するようになっている。そのスイッチ制御レバー５とスライダ７の連動手段として、前記スイッチ押圧側レバー部５２に設けたカム溝５２ｅに対し前記スライダ７に突設したカム係合突起８をスライド可能に嵌め込み係合させている。前記カム溝５２ｅは、前記スライダ７と一体に直線方向へ移動するカム係合突起８によって、前記スイッチ制御レバー５を、前記スライダ７の一方向移動時にスイッチ３のＯＮ方向に移動させ、かつ前記スライダ７の他方向移動時にスイッチ３のＯＦＦ方向に移動させるカム溝形状に形成されている。また、前記スライダ７は、前記筐体１のベース１ｂ上に回転可能に軸支されたカムギア９（図３〜図５参照）にメカ駆動レバー１０を介して連動するようになっている。そのメカ駆動レバー１０は平面ほぼＬ字形状に屈曲形成されているもので、その一端部が前記底部ベース１ｂに突設された支点ピン１１を介して回動可能に軸支されされている。
【００１３】
また、前記メカ駆動レバー１０の中間部には中間ガイドピン１２が突設され、この中間ガイドピン１２は、前記カムギア９に設けられたカム溝（図示せず）を介して前記ベース１ｂに設けられたガイド溝１ｃに摺動可能に嵌め込み係合されている。さらに、前記メカ駆動レバー１０の他端部（自由端部）は前記スライダ７に端部ガイドピン１３で回動可能に連結されている。その端部ガイドピン１３は、前記底部ベース１ｂに設けられたガイド溝１ｄにスライド自在に嵌め込み係合されている。そして、前記カムギア９は動力伝達ギア機構１５を介してモード変更用のモータ１４で回転駆動されるようになっている。なお、図中の符号１４ａはモータ１４の出力ウォームギアで、動力伝達ギア機構１５の入力ギアに噛合している。
【００１４】
次に動作について説明する。
筐体１内へのディスク挿入前において、スイッチ制御レバー５はスプリング６の付勢力によってスイッチ３のＯＦＦ位置に保持されてスイッチ押圧側レバー部５２のバイアス付与突起５２ｄが図６（Ａ）に示すように回路基板２上から離脱し、かつディスク検知側レバー部５１がディスク検知位置に保持された状態（図３参照）となっている。この状態において、筐体１のディスク挿排口１ａから挿入されたディスクの周縁部がスイッチ制御レバー５のディスク当接片部５１ａに当接し、スプリング６の付勢力に抗する方向（図３中）で支軸４を中心とする（反時計回り方向）にスイッチ制御レバー５を回動させスイッチ３がＯＮされる（図４参照）。そのディスク挿入完了信号でモータ１４が起動することにより動力伝達ギア機構１５を介してカムギア９が図３中で時計回り方向に回転駆動される。次にカムギア９の回転によりメカ駆動レバー１０を介してスライダ７が図３中で左方向に移動する。このとき、前記スライダ７のカム係合突起８がスイッチ制御レバー５のカム溝５２ｅを移動することにより、そのスイッチ制御レバー５がスプリング６の付勢力に抗する方向に回動してスイッチ３が押切位置（スイッチ３はＯＮ状態）となる。
【００１５】
すなわち、挿入されたディスクがディスク当接片部５１ａと当接し、前記スイッチ制御レバー５の回動により、当該ノブ３ａと押動させ、スイッチをＯＮする。さらにスライダー７が動作することで、ディスク検知側レバー部５１がディスクの周縁部から離脱する方向に退避動作する。そして、前記第１のスイッチ当接辺部５２ａに続く第２のスイッチ当接辺部５２ｂによって前記ノブ３ａが押動位置（スイッチ３のＯＮ位置）に保持される（図５参照）。このようなスイッチ制御レバー５の回動によるスイッチ３のＯＮ動作時には、当該スイッチ３のノブ３ａに対するスイッチ押圧側レバー部５２の当接部が第１のスイッチ当接辺部５２ａから第２のスイッチ当接辺部５２ｂに移行する。その移行時において、図６（Ｂ）に示すように、前記スイッチ押圧側レバー部５２下面のバイアス付与突起５２ｄが回路基板２上に乗り上げる。
【００１６】
その乗り上げ時には、前記バイアス付与突起５２ｄを有するバイアス付与部（係合片部）５２ｃが弾性変形するため、その弾性復元力によって前記バイアス付与突起５２ｄが回路基板２上に摩擦係合する。このように、前記スイッチ３の押切位置ではスイッチ押圧側レバー部５２のバイアス付与突起５２ｄが回路基板２上に摩擦係合して当該回路基板２上に前記スイッチ押圧側レバー部５２が固定されるため、ディスク再生時等において、前記スイッチ押圧側レバー部５２が外部振動でガタつくようなことがなくなり、そのガタつきに起因した前記ノブ３ａの振れを抑制することができる。
【００１７】
ディスク排出時には、モータ１４の逆起動により動力伝達ギア機構１５を介してカムギア９が図５中で反時計回り方向に回動することでメカ駆動レバー１０が支点ピン１１を中心に回動してスライダ７が図５中で右方向に移動する。このとき、前記スライダ７のカム係合突起８がスイッチ制御レバー５のカム溝５２ｅを移動することにより、そのカム溝５２ｅと前記カム係合突起８とによって前記スイッチ制御レバー５が支軸４を中心にして時計回り方向へ強制的に回動させられる。これにより、前記スイッチ制御レバー５のスイッチ押圧側レバー部５２のバイアス付与突起５２ｄが回路基板２上から強制的に外される共に、前記スイッチ制御レバー５がスプリング６の付勢力で元の位置に、かつスイッチ３のノブ３ａがＯＦＦ位置にそれぞれ復帰する。
【００１８】
以上説明した実施の形態１によれば、回路基板２上に実装されたスイッチ３をＯＮ・ＯＦＦ制御すべく筐体１に回動可能に軸支されたスイッチ制御レバー５に、当該スイッチ制御レバー５によるスイッチ３の押切位置で前記回路基板２上に乗り上げて摩擦係合するバイアス付与突起５２ｄを設けるように構成したので、前記スイッチ制御レバー５がスイッチ３のＯＮ位置で外部振動によりガタつくようなことがなくなり、そのガタつきに起因したスイッチノブ３ａの振れを抑制することができ、このため、外部振動によって前記スイッチ３内の接点部分が摩耗したり誤動作するのを防止できるという効果がある。また、前記スイッチ制御レバー５は、モータ１４で駆動されるモード切替機構系統のスライダ７に連動してスイッチ３のＯＮ・ＯＦＦ方向へ自動機械的に強制回動させるように構成したので、少なくとも前記バイアス付与突起５２ｄが回路基板２上から外れるまでは、前記スイッチ制御レバー５をスイッチ３のＯＦＦ方向へ強制的に復帰回動させることができ、このため、前記スイッチ制御レバー５がスプリング６の付勢力だけでは復帰し難い場合でも、その復帰回動をスムーズに実現できるという効果がある。
【００１９】
また、前記実施の形態１では、ディスク検知側レバー部５１とスイッチ押圧側レバー部５２とを有するスイッチ制御レバー５を樹脂材で一体形成し、前記スイッチ押圧側レバー部５２に弾性変形可能な係合片部（バイアス付与部）５２ｃを切り込み形成し、この係合片部５２ｃの下面にバイアス付与突起５２ｄを一体突設するように構成したので、前記バイアス付与突起５２ｄの回路基板２上への乗り上げ時には、その乗り上げ方向に前記係止片部５２が撓み変形することとなり、このため、前記スイッチ制御レバー５の回動によって前記バイアス付与突起５２ｄを回路基板２上へスムーズに乗り上げ動作させることができると共に、その乗り上げ後のバイアス付与突起５２ｄを前記係止片部５２ｃの弾性復元力で回路基板２上に確実に摩擦係合させることができるという効果がある。
【００２０】
さらに、前記実施の形態１では、スイッチ制御レバー５とスライダ７との連動手段として、前記スイッチ制御レバー５のスイッチ押圧側レバー部５２に形成したカム溝５２ｅに対し前記スライダ７に突設されて当該スライダ７と一体に直線移動するカム係合突起８をスライド可能に嵌め込み係合させるように構成したので、前記カム溝５２ｅの溝形状を、前記スライダ７の一方向移動時のカム係合突起８で前記スイッチ制御レバー５がスイッチ３のＯＮ方向に回動し、かつ前記スライダ７の他方向移動時のカム係合突起８で前記スイッチ制御レバー５がスイッチ３のＯＦＦ方向に回動するように設定するだけで、前記回路基板２上にバイアス付与突起５２ｄが摩擦係合した状態のスイッチ制御レバー５をモード切替時の前記スライダ７に連動させて自動機械的に強制回動させることができ、これによって、前記バイアス付与突起５２ｄを回路基板２上からスムーズに離脱させることができるという効果がある。
【００２１】
なお、前記実施の形態１では、前記スイッチ押圧側レバー部５２に係合片部５２ｃを切り込み形成し、この係合片部５２ｃの下面にバイアス付与突起５２ｄを一体形成したが、そのバイアス付与突起５２ｄは前記スイッチ押圧側レバー部５２の下面に直接一体形成してもよく、この場合も前記実施の形態１と同様の効果を期待できる。
【図面の簡単な説明】
【００２２】
【図１】この発明の実施の形態１によるディスク装置の一部機構を除く全体斜視図である。
【図２】図１中のスイッチ制御レバーを示す拡大斜視図である。
【図３】図１中のメカ駆動系スイッチのＯＦＦ状態を示す要部平面図である。
【図４】図３中のメカ駆動系スイッチのＯＮ開始状態を示す要部平面図である。
【図５】図４のディスク再生時状態を示す要部平面図である。
【図６】図６（Ａ）は図３の状態におけるスイッチ制御レバーの要部を回路基板およびメカ駆動系スイッチとの関連で示す断面図、図６（Ｂ）は図５の状態におけるスイッチ制御レバーの要部を回路基板およびメカ駆動系スイッチとの関連で示す断面図である。
【符号の説明】
【００２３】
１  筐体、１ａ  ディスク挿排口、１ｂ  ベース、１ｃ，１ｄ  ガイド溝、２  回路基板、３  スイッチ、３ａ  ノブ、４  支軸、５  スイッチ制御レバー、６  スプリング、７  スライダ（モード切替機構）、８  カム係合突起、９  カムギア、１０  メカ駆動レバー、１１  支点ピン、１２  中間ガイドピン、１３  端部ガイドピン、１４  モータ、１５  動力伝達ギア機構、５０  軸挿通部、５１  ディスク検知側レバー部、５１ａ  ディスク当接部、５２  スイッチ押圧側レバー部、５２ａ  第１のスイッチ当接辺部、５２ｂ  第２のスイッチ当接辺部、５２ｃ  バイアス付与部、５２ｄ  バイアス付与突起、５２ｅ  カム溝。
【図１】
2006244642.tif 000003
【図２】
2006244642.tif 000004
【図３】
2006244642.tif 000005
【図４】
2006244642.tif 000006
【図５】
2006244642.tif 000007
【図６】
2006244642.tif 000008